(57)【要約】【課題】ＬＣＤとＥＶＦとを備えた構成において、ＥＶＦをファインダとして使用している場合であっても、撮影操作直後に撮影画像を確認するときの良好な作業性を確保する。【解決手段】  キー処理部１１には、撮影用の記録モードが設定されているとき、ＬＣＤ８とＥＶＦ９とのいずれをファインダとして使用するかを設定するファインダ切替スイッチが設けられた構成である。記録モードでユーザによる撮影指示に応答して取得された撮影画像を撮影直後に表示するときには、ＥＶＦ９がファインダとして使用されている場合であっても、ＣＰＵ１０が前記撮影画像をＬＣＤ８に表示させる。ユーザは、ファインダの切り替え操作を行わなくとも、撮影直後には、より大きなモニタ側の画面において撮影画像の詳細を確認することができる。【選択図】      図１
2010074612.tif 000002
【特許請求の範囲】
【請求項１】
第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置において、
前記第１の表示手段がファインダとして選択されている状態における使用者の撮影指示に応答し、当該撮影指示に応答して取得された撮影画像を、前記第２の表示手段に表示させる表示制御手段を備えたことを特徴とするモニタ付カメラ装置。
【請求項２】
使用者の撮影指示に応答し、撮像手段に複数回の撮像動作を行わせることにより時間的に連続する複数の撮影画像を取得する連続撮影制御手段と、
この連続撮影制御手段により取得された複数の撮影画像のいずれかを使用者に選択させるとともに、選択された撮影画像を記録手段に記録させる記録制御手段と
をさらに備え、
前記表示制御手段は、第１の表示手段が前記ファインダとして選択されている状態における使用者の撮影指示に応答し、前記連続撮影制御手段により取得された複数の撮影画像であって、使用者の選択候補となる撮影画像を前記第２の表示手段に表示させる
ことを特徴とする請求項１記載のモニタ付カメラ装置。
【請求項３】
前記表示制御手段は、第２の表示手段に撮影画像を表示させた後、決められたタイミングで第２の表示手段に撮影画像の表示動作を終了させるとともに、第２の表示手段に撮影画像を表示させている間には前記第１の表示手段による前記被写体画像の表示動作を一時停止させることを特徴とする請求項１記載のモニタ付カメラ装置。
【請求項４】
前記表示制御手段は、第２の表示手段に撮影画像を表示させている間、前記第１の表示手段に前記被写体画像を継続して表示させることを特徴とする請求項１記載のモニタ付カメラ装置。
【請求項５】
前記表示制御手段は、第２の表示手段に撮影画像を表示させている間、前記第１の表示手段にも撮影画像を表示させることを特徴とする請求項１記載のモニタ付カメラ装置。
【請求項６】
第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置において、
前記第１の表示手段がファインダとして選択されているとき、使用者による撮影指示があった時点で、当該撮影指示に応答して取得した撮影画像を前記第２の表示手段に表示させることを特徴とする画像表示方法。
【請求項７】
第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置が有するコンピュータを、
前記第１の表示手段がファインダとして選択されている状態における使用者の撮影指示に応答し、当該撮影指示に応答して取得された撮影画像を、前記第２の表示手段に表示させる表示制御手段として機能させることを特徴とする画像表示制御プログラム。
【発明の詳細な説明】
【技術分野】
【０００１】
本発明は、撮影待機状態でスルー画像を表示する表示手段として、ＬＣＤとＥＶＦとを備えたモニタ付カメラ装置、及びその画像表示方法と画像表示制御プログラムに関するものである。
【背景技術】
【０００２】
従来、デジタルカメラにあっては、撮影待機状態では逐次撮像した被写体画像をスルー画像とした表示することによりファインダとして機能し、また、記録画像の再生時には、再生した画像を表示する液晶モニタ、すなわちＬＣＤ（Liquid Crystal Display）を備えたものが一般的である。また、デジタルカメラとして、例えば下記特許文献１には、スルー画像等を表示する表示手段としてＬＣＤに加えＥＶＦ（Electric View Finder）が設けられたものが記載されている。ＥＶＦは、周知のように小型の液晶パネルから構成され、液晶パネルに表示したスルー画像等を、カメラ本体の背面に設けられた接眼レンズを介して覗くことにより、スルー画像等を拡大して視認する構成である。
【０００３】
また、上記のようにＬＣＤとＥＶＦとを備えた構成においては、撮影待機状態に少なくともいずれか一方のみを動作させてスルー画像を表示させておけば、使用者はフレーミングを行うことが可能であり、また使用されない側にもスルー画像を表示させたのでは電力が無駄に消費される。そのため、一般には、撮影時に液晶モニタとＥＶＦとのどちらの表示手段をファインダとして使用するのかをユーザが必要に応じて選択できるよう構成されている。
【特許文献１】特開２００６−２６１９１４号公報
【発明の開示】
【発明が解決しようとする課題】
【０００４】
しかしながら、上記構成にあっては、ＥＶＦを使用した撮影に際して、例えばデジタルカメラに一般に用意されている機能であって撮影直後において撮影画像を一定時間再生して表示する撮影レビュー機能が使用されている場合、上記撮影画像もＥＶＦに表示されるため、撮影画像の確認にはＥＶＦを覗き続ける必要がある。また、ＥＶＦでは撮影画像の詳細を確認しにくいため、撮影画像の詳細を確認したいときには、その時点でファインダをＬＣＤ側に切り替える必要がある。つまり撮影時にファインダとしてＥＶＦを使用している場合には、撮影レビュー機能等によって撮影操作直後に表示される撮影画像を確認する際の作業性が低下するという問題点があった。
【０００５】
本発明は、かかる従来の課題に鑑みてなされたものであり、ＬＣＤとＥＶＦとを備えた構成において、ＥＶＦをファインダとして使用している場合であっても、撮影操作直後に撮影画像を確認するときの良好な作業性を確保することができるモニタ付カメラ装置、及びその画像表示方法と画像表示制御プログラムを提供することを目的とする。
【課題を解決するための手段】
【０００６】
前記課題を解決するため請求項１記載の発明に係るモニタ付カメラ装置にあっては、第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置において、前記第１の表示手段がファインダとして選択されている状態における使用者の撮影指示に応答し、当該撮影指示に応答して取得された撮影画像を、前記第２の表示手段に表示させる表示制御手段を備えたことを特徴とする。
【０００７】
また、請求項２記載の発明に係るモニタ付カメラ装置にあっては、使用者の撮影指示に応答し、撮像手段に複数回の撮像動作を行わせることにより時間的に連続する複数の撮影画像を取得する連続撮影制御手段と、この連続撮影制御手段により取得された複数の撮影画像のいずれかを使用者に選択させるとともに、選択された撮影画像を記録手段に記録させる記録制御手段とをさらに備え、前記表示制御手段は、第１の表示手段が前記ファインダとして選択されている状態における使用者の撮影指示に応答し、前記連続撮影制御手段により取得された複数の撮影画像であって、使用者の選択候補となる撮影画像を前記第２の表示手段に表示させることを特徴とする。
【０００８】
また、請求項３記載の発明に係るモニタ付カメラ装置にあっては、前記表示制御手段は、第２の表示手段に撮影画像を表示させた後、決められたタイミングで第２の表示手段に撮影画像の表示動作を終了させるとともに、第２の表示手段に撮影画像を表示させている間には前記第１の表示手段による前記被写体画像の表示動作を一時停止させることを特徴とする。
【０００９】
また、請求項４記載の発明に係るモニタ付カメラ装置にあっては、前記表示制御手段は、第２の表示手段に撮影画像を表示させている間、前記第１の表示手段に前記被写体画像を継続して表示させることを特徴とする。
【００１０】
また、請求項５記載の発明に係るモニタ付カメラ装置にあっては、前記表示制御手段は、第２の表示手段に撮影画像を表示させている間、前記第１の表示手段にも撮影画像を表示させることを特徴とする。
【００１１】
また、請求項６記載の発明に係る画像表示方法にあっては、第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置において、前記第１の表示手段がファインダとして選択されているとき、使用者による撮影指示があった時点で、当該撮影指示に応答して取得した撮影画像を前記第２の表示手段に表示させることを特徴とする。
【００１２】
また、請求項７記載の発明に係る画像表示制御プログラムにあっては、第１の表示手段と第２の表示手段とを備え、この第１の表示手段または第２の表示手段のうちで使用者によりファインダとして選択されている表示手段に、撮影待機状態で撮像した被写体画像を表示させるモニタ付カメラ装置が有するコンピュータを、前記第１の表示手段がファインダとして選択されている状態における使用者の撮影指示に応答し、当該撮影指示に応答して取得された撮影画像を、前記第２の表示手段に表示させる表示制御手段として機能させることを特徴とする。
【発明の効果】
【００１３】
本発明によれば、ＬＣＤとＥＶＦとを備えた構成において、ＥＶＦをファインダとして使用している場合であっても、撮影操作直後に撮影画像を確認するときの良好な作業性を確保することが可能となる。
【発明を実施するための最良の形態】
【００１４】
以下、本発明の一実施の形態を図にしたがって説明する。
【００１５】
（実施形態１）
図１は、第１の実施形態、及び後述する第２の実施形態に共通する、本発明のモニタ付カメラ装置であるデジタルカメラの電気的構成を示すブロック図である。デジタルカメラは撮像素子（撮像手段）としてＣＣＤ１を有している。ＣＣＤ１は感光面にベイヤー配列の原色フィルターが設けられたものであり、図示しないレンズにより結像された被写体像を光電変換し、撮像信号として出力する。ＣＣＤ１の出力信号はＣＣＤ制御部２で作られるタイミング信号に基づき順次Ａ／Ｄ変換された後、ベイヤーデータとしてＹＵＶプロセッサ３に送られる。
【００１６】
ＹＵＶプロセッサ３は、ベイヤーデータから画素毎のＲ，Ｇ，Ｂの色成分データをいったん生成した後、生成したＲＧＢデータを輝度信号（Ｙ信号）と色差信号（Ｃｂ（Ｕ）信号、Ｃｒ（Ｖ）信号）とからなるＹＵＶデータに変換する。ＹＵＶプロセッサ３で作成されたＹＵＶデータは、メモリーコントローラ４によって順次ＳＤＲＡＭ等の画像メモリ５に蓄えられる。
【００１７】
画像メモリ５に蓄積されたＹＵＶデータは１フレーム分毎にメモリーコントローラ４を介して順次ＶＲＡＭ６へ送られ、エンコーダ７によって、ＬＣＤ８が有する液晶パネルの表示画素数や、ＥＶＦ９が有する液晶パネルの表示画素数に応じた画素サイズのＲＧＢ信号に変換された後、ＬＣＤ８やＥＶＦ９へ出力される。
【００１８】
本実施形態においてＬＣＤ８は本発明の第２の表示手段、ＥＶＦ９は本発明の第１の表示手段であり、各々が液晶パネル、及びバックライト、液晶パネルの駆動回路等から構成され、エンコーダ７によって生成されたＲＧＢ信号に基づく画像を液晶パネル上に表示する。なお、ＬＣＤ８とＥＶＦ９は、図示しないカメラ本体の背面側に設けられており、ＥＶＦ９はカメラ本体に設けられた接眼レンズを介して液晶パネル上に表示した画像を拡大して視認される構成である。また、ＬＣＤ８側の液晶パネルのサイズが２．８型程度、ＥＶＦ９側の液晶パネルのサイズが０．２型程度であるとともに、前者の表示画素数が２３万画素程度、後者の表示画素数が２０万画素程度である。
【００１９】
ＣＰＵ１０は、キー処理部１１を構成するとともに、図示しないカメラ本体に設けられている各種の操作キーの操作、及びＲＯＭ１２に記録されている種々のプログラムに基づき動作し、前述した各部の動作を制御する。上記プログラムには、ＣＰＵ１０にＡＥ制御、ＡＷＢ制御を行わせるためのプログラムやデータ、及びＣＰＵ１０に後述する処理を行わせるとともにことにより、ＣＰＵ１０を本発明の表示制御手段、連続撮影制御手段、記録制御手段として機能させる撮影画像表示プログラムが含まれている。
【００２０】
さらに、上記プログラムには、画像データの圧縮／伸長用のプログラムも含まれており、ＣＰＵ１０は、記録モードでの撮影時においては、メモリーコントローラ４を介して画像メモリ５に蓄積された１フレーム分のＹＵＶデータを読み出し圧縮し、圧縮後の画像データを静止画ファイルとしてメモリーカード等の記録媒体（記録手段）１３に記録する。また、再生モードにおいては、記録媒体１３に記録されている任意の静止画ファイル（記録画像）がユーザによって選択されると、選択された静止画ファイルを記録媒体１３から読み出し伸張した後、メモリーコントローラ４を介してＹＵＶデータとしてＶＲＡＭ６に展開する。その際、ＶＲＡＭ６に展開されたＹＵＶデータは、記録モードにおける場合と同様に、順次エンコーダ７において表示用の画素サイズのＲＧＢ信号に変換された後、ＬＣＤ８やＥＶＦ９において画像として再生される。
【００２１】
キー処理部１１は、図示しないカメラ本体に設けられた複数の操作キーやスイッチ類により構成されている。より具体的には、電源キーや、記録モードと再生モードとを切り替えるためのモード切替キー、シャッタボタン、記録モードの下位モードとして用意されている複数の撮影モードの設定や、その他の動作モードの設定に使用されるカーソルキーやセットキー等により構成されている。
【００２２】
また、本実施形態のデジタルカメラは、記録モードにおいてＬＣＤ８とＥＶＦ９とのどちらの表示手段をファインダとして使用するのかをユーザが必要に応じて選択できる構成であり、キー処理部１１にはファインダとして使用する表示手段の選択に使用されるファインダ切替スイッチが設けられている。ファインダ切替スイッチはスライド式であり、記録モードにおいては、スライド位置をＬＣＤ側とＥＶＦ側とに操作することによって、スルー画像の表示をＬＣＤ８からＥＶＦ９へ、逆にＥＶＦ９からＬＣＤ８へ切り替えることができる。
【００２３】
次に、以上の構成からなるデジタルカメラの本発明に係る動作を説明する。なお、ここでは、便宜上、記録モードの下位モードとして通常の静止画撮影モードと選択連写モードとの２種類の撮影モードが設けられ、また既説した撮影レビュー機能が設けられているとともに、撮影レビュー機能の使用がオン設定されているものとする。なお、上記選択連写モードは、主に動く被写体を撮影する場合における所望するシーンの撮り逃しを防止することを目的として設けられている撮影モードであり、シャッタボタンを押すことによる撮影指示に応答して、記録用の画像の取得に向けた撮像動作を所定回数だけ連続して行い、時間的に連続する複数枚の撮影画像をいったん取得した後、その中からユーザに選択された任意の撮影画像のみを記録する撮影モードである。
【００２４】
図２及び図３は、記録モードが設定されたときのＣＰＵ１０の処理を示すフローチャートである。図２に示したように、ＣＰＵ１０は記録モードが設定されると、直ちにＣＣＤ１の駆動し、その時点でファインダとしての使用が選択されている表示手段（ＬＣＤ８又はＥＶＦ９）によるスルー画像の表示を開始する（ステップＳＡ１）。引き続き、撮影モードとして選択連写モードが設定されているか否かを確認する（ステップＳＡ２）。
【００２５】
ここで、撮影モードとして選択連写モードが設定されていない場合、すなわち通常の静止画撮影モードが設定されている場合には（ステップＳＡ２でＮＯ）、図３に示した処理に移行して、シャッタボタンが押されたか否かを確認し、シャッタボタンが押されなければ（ステップＳＡ１０１でＮＯ）、そのままステップＳＡ２へ戻る。
【００２６】
一方、シャッタボタンが押されたら（ステップＳＡ１０１でＹＥＳ）、直ちに撮影動作を行う（ステップＳＡ１０２）。すなわちＡＥ制御によりＣＣＤ１の露光時間等の撮影条件を設定し、設定した撮影条件に従った撮像動作により記録用の画像データを取得し、取得した画像データを圧縮した後、静止画ファイルとして記録媒体１３に記録する。
【００２７】
引き続き、その時点でファインダとして選択されている表示手段がＬＣＤ８（以下、モニタと呼ぶ。）であった場合には（ステップＳＡ１０３で「モニタ」）、撮影動作で取得した画像データ（画像メモリ５に蓄積されている圧縮前の画像データ）に基づく撮影画像をモニタに一定時間だけ表示させる（ステップＳＡ１０４）。その後、図２のステップＳＡ２へ戻る。
【００２８】
また、上記とは異なり、ファインダとして選択されている表示手段がＥＶＦ９であった場合には（ステップＳＡ１０３で「ＥＶＦ」）、その時点でＥＶＦ９によるスルー画像の表示を停止するとともに（ステップＳＡ１０５）、ここでモニタ（ＬＣＤ８）を起動した後（ステップＳＡ１０６）、撮影動作で取得した画像データに基づく撮影画像をモニタに一定時間だけ表示させる（ステップＳＡ１０７）。やがて、一定時間が経過した時点でモニタを停止するとともに（ステップＳＡ１０８）、ＥＶＦ９によるスルー画像の表示を再開した後（ステップＳＡ１０９）、図２のステップＳＡ２へ戻る。
【００２９】
すなわち、通常の静止画撮影モードにおいてＥＶＦ９がファインダとして選択されている場合の撮影時には、ファインダとして使用する表示手段を一時的にモニタに切り替えて、撮影レビュー機能による撮影直後の画像表示をモニタに行わせる。これにより、ユーザは、ファインダ切替スイッチによって表示手段の切替操作を行わなくとも、より大きなモニタ側の画面において撮影画像の詳細を確認することができる。
【００３０】
一方、図２に示したように、撮影モードとして選択連写モードが設定されている場合には（ステップＳＡ２でＹＥＳ）、シャッタボタンが押されたら（ステップＳＡ３でＹＥＳ）、直ちに連続撮影動作を行う（ステップＳＡ４）。すなわちＡＥ制御によりＣＣＤ１の露光時間等の連続撮影用の撮影条件を設定し、決められた回数の撮像動作によって記録候補となる複数の画像データを取得するとともに、取得した画像データを画像メモリ５に予め確保してあるバッファ領域に一時的に記憶する。
【００３１】
次に、その時点でファインダとして選択されている表示手段がモニタとＥＶＦ９とのいいずれであるかを確認する。ここで、選択されている表示手段がモニタであった場合には（ステップＳＡ５で「モニタ」）、以下の処理を行う。すなわち、直ちにモニタに、画像メモリ５（バッファ領域）に一時記憶した複数の画像データに基づく複数枚の撮影画像（記録候補）を一覧表示させ（ステップＳＡ６）、その状態でユーザによるカーソルキーやセットキーの操作に応じた画像選択処理を行うことによって、ユーザに所望の撮影画像を選択させ（ステップＳＡ７）、選択された撮影画像の記録処理（画像データの圧縮、及び記録媒体１３への記録）を行う（ステップＳＡ８）。しかる後、直ちにステップＳＡ２へ戻る。
【００３２】
これに対し、ステップＳＡ５において、選択されている表示手段がＥＶＦ９であった場合には（ステップＳＡ５が「ＥＶＦ」）、以下の処理を行う。すなわち、いったんモニタを起動した後（ステップＳＡ９）、ステップＳＡ４で取得した記録候補である複数枚の撮影画像をモニタとＥＶＦ９との双方において一覧表示させ（ステップＳＡ１０）、その状態でステップＳＡ７，ＳＡ８と同様の画像選択処理、及び選択された撮影画像の記録処理を行う（ステップＳＡ１１，ＳＡ１２）。しかる後、その時点でモニタを停止してから（ステップＳＡ１３）、ステップＳＡ２へ戻る。
【００３３】
すなわち、ＥＶＦ９がファインダとして選択されている場合には、連続撮影動作で取得した複数枚の撮影画像をＥＶＦ９だけでなくモニタにも一覧表示させる。これにより、選択連写モードでの撮影時にユーザは、ファインダ切替スイッチによって表示手段の切替操作を行わなくとも、常により大きなモニタ側の画面において複数枚の撮影画像、つまり撮影操作直後に表示される撮影画像の詳細を確認することができ、所望する撮影画像の選択作業を容易に行うことができる。
【００３４】
以上のように、本実施形態のデジタルカメラにおいては、通常の静止画撮影モード及び選択連写モードにおいて、撮影操作直後に撮影画像を確認するときには、その時点でＥＶＦ９がファインダとして使用されている場合であっても、撮影画像をモニタ（ＬＣＤ８）に表示させるようにした。よって、ユーザが撮影操作直後に撮影画像を確認するとき、良好な作業性を確保することができる。
【００３５】
なお、本実施形態においては、通常の静止画撮影モードでの撮影時においてＥＶＦ９がファインダとして使用されている場合、撮影レビュー機能による撮影画像の表示期間内にＥＶＦ９によるスルー画像の表示動作を一時停止して、つまりファインダとして使用する表示手段を一時的にモニタに切り替えて、撮影レビュー機能による撮影画像の表示をモニタのみに行わせるようにしたが、これに限らず、モニタに撮影画像を表示させている間に、ＥＶＦ９にスルー画像の表示動作を継続して行わせるようにしてもよいし、ＥＶＦ９にも撮影画像を表示させるようにしてもよい。
【００３６】
また、選択連写モードでの撮影時においてＥＶＦ９がファインダとして使用されている場合には、選択候補である複数枚の撮影画像をＥＶＦ９にも表示させるようにしたが、それらをファインダのみに表示させるようにしてもよい。
【００３７】
（実施形態２）
次に、本発明の第２の実施形態について説明する。本実施形態は、第１の実施形態と同様の図１に示した構成を備えるとともに、記録モードが設定されたときＣＰＵ１０が図４に示した処理を行うものである。なお、図から明らかなようにステップＳＢ１〜ＳＢ８の処理は、第１の実施形態で図２に示したステップＳＡ１〜ＳＡ８と同一であるため、ここでは主として第１の実施形態とは異なる処理について説明する。
【００３８】
すなわち本実施形態では、選択連写モードでの連続撮影動作後、ファインダとしてＥＶＦ９が選択されている場合には（ステップＳＢ５で「ＥＶＦ」）、その時点でモニタを起動した後（ステップＳＢ９）、ＣＣＤ１による所定のフレームレートでの撮像動作、及びＥＶＦ９におけるスルー画像の表示動作を継続したまま、連続撮影動作で取得した複数枚の撮影画像をモニタのみに一覧表示させる（ステップＳＢ１０）。
【００３９】
その後、ユーザによりシャッタボタンが押されなければ（ステップＳＢ１１でＮＯ）、ユーザによるカーソルキーやセットキーの操作に応じた画像選択処理を行って、ユーザに所望の撮影画像を選択させ（ステップＳＢ１２）、選択された撮影画像の記録処理を行った後（ステップＳＢ１３）、その時点でモニタを停止して（ステップＳＢ１４）、ステップＳＢ２へ戻る。
【００４０】
一方、ステップＳＢ１０で複数枚の撮影画像をモニタに一覧表示させた状態で、ユーザによるシャッタ操作があった場合には（ステップＳＢ１１でＹＥＳ）、その時点で直ちにステップＳＢ４へ戻り、決められ回数の連続撮影を再び行い、記録候補となる複数の画像データを新たに取得した後、前述した処理を繰り返す。この場合、図４では省略したが、係る時点においてモニタは既に起動しているため、新たな連続撮影後にはステップＳＢ９の処理はスキップするとともに、ステップＳＢ１０では、前回一覧表示していた複数枚の撮影画像に加え、新たに複数枚の撮影画像を選択候補としてモニタに一覧表示させる（ステップＳＢ１０）。
【００４１】
その後、新たに取得した撮影画像を加えた選択候補をモニタに一覧表示させた状態で、さらにユーザによるシャッタ操作があった場合には（ステップＳＢ１１でＹＥＳ）、その時点で再びステップＳＢ４へ戻り直ちに新たに連続撮影動作を行う。なお、図４には示さないが、選択候補の撮影画像をモニタに一覧表示させた状態でのシャッタ操作（撮影指示）に応じた連続撮影動作は、その回数を所定の回数に制限するか、または、画像メモリ５に確保されているバッファの容量に余裕がある間のみ許容するものとする（その時点で設定されている記録画像サイズ等によって許容する連続撮影動作の回数を変化させる）。
【００４２】
そして、ユーザによるシャッタ操作がなければ（ステップＳＢ１１でＮＯ）、前述した画像選択処理、及び記録処理を行い、モニタを停止した後（ステップＳＢ１２〜ＳＢ１４）、ステップＳＢ２へ戻る。
【００４３】
以上のように本実施形態においては、選択連写モードでの撮影時にＥＶＦ９がファインダとして選択されていた場合には、シャッタ操作後であっても記録画像の選択操作を行うまでは、ＥＶＦ９におけるスルー画像の表示動作を継続するとともに、その間には新たなシャッタ操作に応じて新たな連続撮影動作を直ちに行うようにした。
【００４４】
よって、ユーザにおいては、シャッタ操作を行った後にもＥＶＦ９において表示されるスルー画像を視認し続けることにより、連続して訪れる次回のシャッターチャンスを逃すことなく連続撮影を繰り返し行うことができる。その結果、動く被写体等を撮影する場合における所望するシーンの撮り逃しを確実に防止することができる。そして、１または複数回の連続撮影後には、常により大きなモニタ側の画面において選択候補の複数枚の撮影画像の詳細を確認することができ、所望する撮影画像の選択作業を容易に行うことができる。
【００４５】
なお、以上説明した第１及び第２の実施形態においては、撮影直後において撮影画像を一定時間再生して表示する撮影レビュー機能を備えたものについて説明したが、本発明は、係る撮影レビュー機能とは異なり、撮影直後における撮影画像の表示動作をユーザによる所定の操作（シャッタボタンの半押し操作等）があるまで継続する機能を備えたものにおいても適用することができる。その場合においても、静止画撮影モードでＥＶＦ９がファインダとして使用されているとき、撮影直後の撮影画像をモニタ（ＬＣＤ８）に表示させるとともに、前記所定の操作があった時点で、つまり決められたタイミングでモニタによる撮影画像の表示動作を終了させるようにすれば、ユーザが撮影操作直後に撮影画像を確認するとき、良好な作業性を確保することができる。
【００４６】
また、第１及び第２の実施形態においては、選択連写モードでの撮影時には、シャッタ操作に応じて所定回数の連続撮影を行うようにしたが、選択連写モードにおいては、シャッタボタンが押されている間に一定の時間間隔で連続撮影を行うようにしてもよい。その場合においても、静止画撮影モードでＥＶＦ９がファインダとして使用されているとき、連続撮影で取得した複数枚の撮影画像をモニタ（ＬＣＤ８）に表示させれば、第１及び第２の実施形態と同様の効果を得ることができる。
【００４７】
また、前述した選択連写モードとは使用目的が異なる連続撮影を行うとともに、撮影後には、ユーザにより指定された撮影画像のみを最終的な撮影画像として記録する他の選択連写モードを備えたものにも本発明は適用することができる。例えば所望の画質を得ることを目的として用意され、撮影条件が互いに異なる複数回の連続撮影を行う選択連写モード、すなわち撮影毎に露出を変化させる露出ブラケットや、撮影毎にホワイトバランスを変化させるホワイトバランスブラケット等を行う選択連写モードを備えたものにも適用することができる。
【００４８】
さらには、例えばシャッタボタンによる撮影指示がある前の段階から（ハーフシャッタ機能を有するものではシャッタボタンが半押しされた後に）一定の時間間隔での連続撮影を行い、常に直近の所定枚数の撮影画像をバッファに一時記憶しておく一方、撮影指示に応答して（ハーフシャッタ機能を有するものではシャッタボタンの全押しに応答して）撮影動作を行うとともに、その際に取得した撮影画像と、それまでに一時記憶していた直近の所定枚数の撮影画像とを選択候補とし、その中から最終的に記録すべき撮影画像をユーザに選択させるといった連写モードを備えたものにも本発明は適用することができる。
【図面の簡単な説明】
【００４９】
【図１】各実施形態に共通するデジタルカメラの電気的構成を示すブロック図である。
【図２】第１の実施形態におけるＣＰＵの処理手順を示すフローチャートである。
【図３】図２続くフローチャートである。
【図４】第２の実施形態におけるＣＰＵの処理手順を示すフローチャートである。
【符号の説明】
【００５０】
１    ＣＣＤ
２    ＣＣＤ制御部
３    ＹＵＶプロセッサ
４    メモリーコントローラ
５    画像メモリ
６    ＶＲＡＭ
７    エンコーダ
８    ＬＣＤ
９    ＥＶＦ
１０    ＣＰＵ
１１    キー処理部
１２    ＲＯＭ
１３    記録媒体
【図１】
2010074612.tif 000003
【図２】
2010074612.tif 000004
【図３】
2010074612.tif 000005
【図４】
2010074612.tif 000006